(57)【特許請求の範囲】
【請求項１】
膨出部が形成された底板と、該底板の表面側に設けられ前記膨出部を閉塞して薬粉収容部を画成する蓋板とからなるブリスタパックにおいて、
前記底板には、前記膨出部内に空気を流入させる流入穴側が浅底部となり、前記膨出部内の空気を薬粉と共に流出させる流出穴側が深底部となるように前記膨出部の膨らみを大きくする傾斜面を設け、
前記流入穴は、前記底板の浅底部側で前記蓋板と前記傾斜面とを貫通して穿設し、
前記流出穴は、前記底板の深底部側で前記蓋板と前記膨出部とを貫通して穿設する構成としたことを特徴とするブリスタパック。
【発明の詳細な説明】
【技術分野】
【０００１】  本発明は、例えば患者の息の吸込みによって薬粉を肺内に投与する吸入式投薬器に用いて好適なブリスタパックに関する。
【背景技術】
【０００２】  一般に、喘息患者等のための薬粉の投与方法のうち、カプセル内に充填された薬粉を吸入する方法に用いる吸入式投薬器は、軸方向の一側がカプセル収容室となり、他側が薬粉を吸入する吸入口となった投薬器本体と、前記カプセル収容室を経由して大気側と吸入口とを連通する通気路と、前記カプセルに該通気路に連通する穴をあける穴あけ具とによって大略構成されている。【０００３】  また、吸入式投薬器には、１回分の薬粉を収容した薬粉収容部が周方向に複数設けられたブリスタパックを用いて薬粉を投与するものが知られている（例えば、特許文献１，２参照）。【０００４】  さらに、この吸入式投薬器に用いられる従来技術のブリスタパックは、多数の膨出部が形成された底板と、該底板の表面側に貼り付けられ前記膨出部を閉塞して薬粉収容部を画成する蓋板とによって大略構成され、薬粉収容部内には粉体状の薬品（薬粉）が収容されている。【０００５】  そして、薬粉を投与するときには、針状をなした１本のプランジャによってブリスタパックに穴をあけ、薬粉収容部を吸入口に連通する。これにより、患者は、吸入口をくわえて息を吸込むことにより、薬粉収容部内の薬粉を吸入口から肺内に吸込むことができる。【０００６】  また、次回の投薬時には、ブリスタパックを回転させ、他の薬粉収容部を吸入口に連通することにより、カプセル等を交換することなく、続けて薬粉を吸入することができる。【０００７】
【特許文献１】特開昭５９−８８１５８号公報
【特許文献２】特開昭６２−４１６６８号公報
【発明の開示】
【発明が解決しようとする課題】
【０００８】  ところで、上述した従来技術によるブリスタパックは、１本のプランジャによってブリスタパックに穴をあけているから、該ブリスタパックには、ほぼ真直に貫通する２個の穴が形成されることになる。このため、薬粉収容部に流入する空気流は、２個の穴間で該薬粉収容部内を直線的に流通するだけである。【０００９】  従って、投与する薬粉の特性、例えば粒の大きさ（微粉末、顆粒等）、凝集性の強さ、１回に投与される薬粉の量等が異なる場合でも、空気流の流速、方向等が一定になってしまう。このため、薬粉収容部内に収容された薬粉を確実に拡散することができないから、該薬粉収容部内に薬粉が残ってしまい、患者に規定量の薬粉を投与することができず、薬粉の効能が低下するという問題がある。【００１０】  本発明は、上述した従来技術の問題に鑑みなされたもので、本発明の目的は、薬粉収容部内に収容された薬粉をその特性に応じて拡散し、投薬効率を向上することができようにしたブリスタパックを提供することにある。
【課題を解決するための手段】
【００１１】  本発明によるブリスタパックは、膨出部が形成された底板と、該底板の表面側に設けられ前記膨出部を閉塞して薬粉収容部を画成する蓋板とからなる。【００１２】
そして、上述した課題を解決するために、請求項１の発明が採用する構成の特徴は、前記底板には、前記膨出部内に空気を流入させる流入穴側が浅底部となり、前記膨出部内の空気を薬粉と共に流出させる流出穴側が深底部となるように前記膨出部の膨らみを大きくする傾斜面を設け、前記流入穴は、前記底板の浅底部側で前記蓋板と前記傾斜面とを貫通して穿設し、前記流出穴は、前記底板の深底部側で前記蓋板と前記膨出部とを貫通して穿設する構成としたことにある。
【発明の効果】
【００１３】
上述した通り、請求項１の発明によれば、ブリスタパックの底板には、膨出部を貫通して穿設される流入穴側が浅底部となり、流出穴側が深底部となるように前記膨出部の膨らみを大きくする傾斜面を設け、前記流入穴は、前記底板の浅底部側で前記蓋板と前記傾斜面とを貫通して穿設し、前記流出穴は、前記底板の深底部側で前記蓋板と前記膨出部とを貫通して穿設する構成としている。これにより、薬粉収容部内の薬粉を傾斜面によって底板の深底部側で流出穴の周囲に溜った状態とすることができるから、流入穴から流出穴に流れる空気流により流出穴の周囲に溜った薬粉を押出すように一気に流出させることができる。この結果、薬粉収容部内に収容された薬粉を短時間で吸入することができ、患者の負担を軽減することができる。
【発明を実施するための最良の形態】
【００１４】  以下、本発明の実施の形態によるブリスタパックを吸入式投薬器に用いた場合を例に挙げ、添付図面に従って詳細に説明する。【００１５】  まず、図１ないし図１３は本発明の第１の実施の形態を示す。最初に本実施の形態に適用される吸入式投薬器の構成について図１ないし図７を参照して説明する。【００１６】  １は吸入式投薬器の本体をなす投薬器本体で、該投薬器本体１は、後述するボディ２と吸入口７とによって大略構成されている。【００１７】  ２は投薬器本体１のボディで、該ボディ２は、図３、図４に示す如く、後述する上板部４と下板部５とを連結すると共に、吸入口７が取付けられる円筒状の連結部３と、該連結部３から軸方向に延びた半円柱状の上板部４と、該上板部４の下側に隙間をもって前記連結部３から軸方向に延びた半円柱状の下板部５と、該各板部４，５間に形成された後述のホルダ装着溝６とによって構成され、全体としてほぼ円柱状をなしている。また、連結部３の内周側には吸入口７が螺着される雌ねじ３Ａが刻設され、上板部４の外周側には、後述する穴あけ具１２の支持部１３を可動に支持する穴あけ具ガイド４Ａが設けられている。【００１８】  ６はボディ２に設けられたホルダ装着溝で、該ホルダ装着溝６は、連結部３側が溝奥面６Ａとなると共に、上板部４の下面を天井面６Ｂとし、下板部５の上面を底面６Ｃとして形成されている。これにより、ホルダ装着溝６は、軸方向の一側、左方向および右方向の三方向に開口して形成されている。また、溝奥面６Ａは、ホルダ８の外周形状に対応して凹円弧状をなしている。【００１９】  また、ホルダ装着溝６には、底面６Ｃのほぼ中央部に位置して中心突起６Ｄが上向きに突設され、該中心突起６Ｄはホルダ８の回転中心となるもので、後述する案内溝８Ｅに係合する。【００２０】  ７はボディ２の連結部３に取付けられた吸入口で、該吸入口７は、基端側の外周に雄ねじ７Ａが刻設され、先端側が漸次縮径している。また、吸入口７の基端側寄りには、複数個の補助通気孔７Ｂ，７Ｂ，…（２個のみ図示）が径方向に貫通して形成され、該補助通気孔７Ｂは、吸入口７から息を吸込んだときに該吸入口７内に外気を取入れることにより、吸気時の息苦しさを軽減するものである。そして、吸入口７は雄ねじ７Ａを連結部３の雌ねじ３Ａに螺着することにより、ボディ２に取付けられている。【００２１】  ８はボディ２のホルダ装着溝６に着脱可能にして回転可能に装着されたホルダで、該ホルダ８は、図６、図７に示すように、ほぼ円形の板状体として形成されている。また、ホルダ８の表面側には、外周寄りに位置し周方向に４５度の間隔をもって後述するブリスタパック２１の膨出部２３が嵌合する８個の嵌合凹部８Ａ，８Ａ，…が凹設され、該各嵌合凹部８Ａには、ホルダ８の径方向に離間して流入側のピン穴８Ｂと流出側のピン穴８Ｃとが厚さ方向に貫通して形成されている。【００２２】  一方、ホルダ８の裏面側には、流入側の各ピン穴８Ｂよりも内周側で各ピン穴８Ｂ，８Ｃに対応して４５度の間隔で８個の係合凹部８Ｄ，８Ｄ，…が設けられ、該各係合凹部８Ｄには、後述する位置決め機構９の球体９Ｂが係合する。また、ホルダ８の裏面側には、該ホルダ８の回転中心から径方向に延びる案内溝８Ｅが設けられ、該案内溝８Ｅはホルダ装着溝６の中心突起６Ｄをホルダ８の回転中心に案内するものである。【００２３】  そして、ホルダ８は、その表面側に後述するブリスタパック２１を保持した状態で、案内溝８Ｅを中心突起６Ｄに係合させてホルダ装着溝６に差し込むことにより、該ホルダ装着溝６に回転可能に装着される。【００２４】  ９，９はボディ２に設けられた位置決め機構（図５参照）で、該各位置決め機構９は、中心突起６Ｄを挟むように位置し、ホルダ装着溝６の底面６Ｃ（下板部５）に凹設された収容穴９Ａと、該収容穴９Ａに抜止め状態で収容された球体９Ｂと、前記収容穴９Ａ内に位置して該球体９Ｂを突出方向に付勢するコイルばね９Ｃとによって構成されている。【００２５】  そして、位置決め機構９は、ホルダ装着溝６にホルダ８を装着し、この状態で該ホルダ８を回転させたときに、球体９Ｂをホルダ８の係合凹部８Ｄに係合し、各嵌合凹部８Ａ（ブリスタパック２１の薬粉収容部２６）のうちの一つを後述の穴あけ具１２による穴あけ位置、即ち薬粉を投与する投薬位置に位置決めするものである。【００２６】  １０はボディ２に設けられた流入側通気路で、該流入側通気路１０は、外部の空気をホルダ８の嵌合凹部８Ａに向け流通させるものである。そして、流入側通気路１０は、上板部４内を軸方向に延び一端側が上板部４の端面で大気側に開口した上流入通路１０Ａと、下板部５内を軸方向に延び一端側が下板部５の端面で大気側に開口した下流入通路１０Ｂと、穴あけ具ガイド４Ａ内から該各流入通路１０Ａ，１０Ｂの他端に連通するように上板部４と下板部５に亘って径方向に形成されたピン挿通穴１０Ｃとによって構成され、前記ピン挿通穴１０Ｃはホルダ８のピン穴８Ｂと連通可能な位置に形成されている。【００２７】  また、１１はボディ２に設けられた流出側通気路で、該流出側通気路１１は、ブリスタパック２１の薬粉収容部２６内の薬粉を吸入口７側に流出させるものである。そして、流出側通気路１１は、ホルダ８のピン穴８Ｃと連通するように流入側通気路１０のピン挿通穴１０Ｃと平行に延びたピン挿通穴１１Ａと、上板部４から連結部３に亘って軸方向に延び一端側が該ピン挿通穴１１Ａに連通し他端側が吸入口７内に開口した上流出通路１１Ｂと、下板部５から連結部３に亘って軸方向に延び一端側が該ピン挿通穴１１Ａに連通し他端側が吸入口７内に開口した下流出通路１１Ｃとによって構成されている。【００２８】  １２は後述するブリスタパック２１に穴あけを施すための穴あけ具で、該穴あけ具１２は、図１に示すように、穴あけ具ガイド４Ａ内に可動に支持された支持部１３と、基端側が該支持部１３に取付けられ、先端側がピン挿通穴１０Ｃ，１１Ａ内に延びたピン１４，１４と、前記支持部１３と上板部４との間に設けられた戻しばね１５とによって大略構成されている。【００２９】  ここで、穴あけ具１２は、支持部１３を戻しばね１５に抗して穴あけ具ガイド４Ａ内に押込み、ピン１４，１４をピン挿通穴１０Ｃ，１１Ａ内に挿入することにより、該ピン１４，１４の先端をブリスタパック２１に貫通させ、薬粉収容部２６を画成している底板２２の膨出部２３と蓋板２５とにそれぞれ流入穴Ｈ1 と流出穴Ｈ2 （後述する図１０、図１１に図示）をあけるものである。また、支持部１３への押圧力を取除くと、戻しばね１５の付勢力によって該支持部１３、ピン１４，１４が初期位置まで後退する。【００３０】  次に、上述した吸入式投薬器に用いられる本実施の形態によるブリスタパックについて図８ないし図９に従って説明する。【００３１】  ２１は吸入式投薬器に着脱可能に装着される本実施の形態によるブリスタパックで、該ブリスタパック２１は、後述する底板２２、傾斜面２４、蓋板２５、薬粉収容部２６等によって構成されている。【００３２】  ２２はブリスタパック２１のベースとなる底板で、該底板２２は、アルミニウム材料、樹脂材料等を用いて薄肉な円板状に形成されている。そして、底板２２には、全周に亘って多数の膨出部２３，２３，…が設けられ、該各膨出部２３は、底板２２の外周寄りに位置して周方向に４５度間隔で８箇所に配置されている。【００３３】  ここで、膨出部２３は、図９ないし図１３に示す如く、底板２２の径方向に長円形状に延びた膨らみとして形成され、その内側位置、即ち流入穴Ｈ1 があけられる位置は後述の傾斜面２４によって浅底に形成されている。また、膨出部２３の外側位置、即ち流出穴Ｈ2 があけられる位置は深底に形成されている。【００３４】 ２４は膨出部２３に設けられた傾斜面で、該傾斜面２４は、流入穴Ｈ1 側となる内側から流出穴Ｈ2 側となる外側に向けて膨出部２３の膨らみが大きくなるように下向きに傾斜して形成されている。【００３５】 ２５は底板２２の表面に貼り付けられた蓋板で、該蓋板２５は、アルミニウム材料、樹脂材料等を用いて薄肉な円板状に形成されている。そして、蓋板２５は、底板２２に形成された各膨出部２３を閉塞することにより、該膨出部２３との間に後述の薬粉収容部２６を画成している。【００３６】 ２６は膨出部２３と蓋板２５との間に画成された薬粉収容部で、該薬粉収容部２６内には薬粉が収容されている。そして、薬粉収容部２６内の薬粉は、図１２に示す如く傾斜面２４によって流出穴Ｈ2 側に溜っている。【００３７】 本実施の形態による吸入式投薬器、ブリスタパック２１は上述の如き構成を有するもので、次に、患者が薬粉を吸入するまでの準備動作および吸入時の空気と薬粉の流れについて、図１０ないし図１３に従って説明する。【００３８】  まず、ボディ２のホルダ装着溝６からホルダを取外す。この場合には、ホルダ８に形成された案内溝８Ｅを吸入口７側に配置し、位置決め機構９に抗してホルダ８を引き抜くことによって取外すことができる。【００３９】  次に、取外したホルダ８の表面側にブリスタパック２１を配置する。このときに、ブリスタパック２１の各膨出部２３（薬粉収容部２６）をホルダ８の各嵌合凹部８Ａに嵌合させることにより、ホルダ８に対しブリスタパック２１を位置決めでき、また両者を一体的に回転させることができる。【００４０】  このようにブリスタパック２１をホルダ８に載せたら、該ホルダ８をホルダ装着溝６に装着する。この場合には、案内溝８Ｅを吸入口７に向けた状態で、該案内溝８Ｅに中心突起６Ｄを係合し、ホルダ８をホルダ装着溝６内に押し込む。そして、ホルダ８を完全に押し込んだら、該ホルダ８を任意の方向に回転することにより��ホルダ８の係合凹部８Ｄに位置決め機構９の球体９Ｂを係合させる。これにより、ブリスタパック２１の各薬粉収容部２６のうちの一つを穴あけ具１２による穴あけ位置（薬粉の投薬位置）に位置決めすることができる。【００４１】  次に、薬粉を吸入する場合の動作について説明する。まず、穴あけ位置に配置されたブリスタパック２１に貫通穴をあけるべく、穴あけ具１２の支持部１３を押圧する。そして、図１０、図１１に示すように、一側のピン１４によって膨出部２３と蓋板２５に流入側通気路１０に連通する流入穴Ｈ1 をあけ、他側のピン１４によって膨出部２３と蓋板２５に流出側通気路１１に連通する流出穴Ｈ2 をあける。これにより、ブリスタパック２１の薬粉収容部２６は、流入穴Ｈ1 を介して流入側通気路１０に連通し、流出穴Ｈ2 を介して流出側通気路１１に連通する。【００４２】  次に、患者が吸入口７を口にくわえ、この状態で息を吸込むと、空気は流入側通気路１０、流入穴Ｈ1 を通って薬粉収容部２６に流入する。このときに、流入穴Ｈ1 から流出穴Ｈ2 に向けて流れる空気流が、薬粉収容部２６内の薬粉を拡散しつつ、この薬粉を流出穴Ｈ2 側に押すように移動する。そして、流入穴Ｈ1 から流入する空気流は、図１１、図１２、図１３に示すように、薬粉収容部２６内の薬粉を押出すように流出穴Ｈ2 から一気に流出させることができる。これにより、薬粉収容部２６内の薬粉のほぼ全部を空気流と一緒に流出穴Ｈ2 、流出側通気路１１を介して吸入口７側に流出することができ、規定量の薬粉を患者の口内、気管を介して肺内に吸込ませることができる。【００４３】  さらに、２回目の投薬動作を行なう場合には、ホルダ８を４５度回転させ、隣りの係合凹部８Ｄに位置決め機構９の球体９Ｂを係合させる。そして、上述した穴あけ動作、吸入動作を行なうことにより、連続して薬粉を吸入することができる。このようにして８回の投薬動作を行なったら、ホルダ８を取外してブリスタパック２１を新しいものに交換する。【００４４】  以上のように、本実施の形態によれば、ブリスタパック２１の膨出部２３には、膨出部２３を貫通して穿設される流入穴Ｈ1 側が浅底部となり、流出穴Ｈ2 側が深底部となるように傾斜面２４を設けているから、流入穴Ｈ1 から流出穴Ｈ2 に流れる空気流によって流出穴Ｈ2 の周囲に移動した薬粉を押出すように一気に流出させることができる。この結果、患者は薬粉収容部２６内に収容された薬粉を短時間で吸入することができるから、患者の負担を軽減することができる。また、この実施の形態は少量の薬粉の投与に適している。【００４５】 なお、第１の実施の形態では、ブリスタパック２１には周方向に８個の膨出部２３（薬粉収容部２６）を設けた場合を例に挙げて説明したが、本発明はこれに限るものではなく、例えば膨出部が２個以上７個未満または９個以上設けられたブリスタパックを用いてもよい。この場合には、ホルダ８の嵌合凹部８Ａ、ピン穴８Ｂ，８Ｃ、係合凹部８Ｄの数を膨出部の数に対応させればよいものである。
【図面の簡単な説明】
【００４６】
【図１】本発明の第１の実施の形態に適用された吸入式投薬器を示す縦断面図である。
【図２】吸入式投薬器を示す平面図である。
【図３】図１中のボディを単体で示す縦断面図である。
【図４】ボディを図３中の矢示IV−IV方向からみた縦断面図である。
【図５】ボディと位置決め機構を図１中の矢示Ｖ−Ｖ方向からみた横断面図である。
【図６】ホルダを単体で示す平面図である。
【図７】ホルダを単体で示す底面図である。
【図８】本発明の第１の実施の形態によるブリスタパックを底部側からみた外観斜視図である。
【図９】図８中の膨出部、薬粉収容部、傾斜面等を示す要部拡大縦断面図である。
【図１０】ブリスタパックの薬粉収容部内の薬粉を吸入している状態の吸入式投薬器を示す縦断面図である。
【図１１】ブリスタパックの薬粉収容部内での空気と薬粉の流れを示す図１０中の要部拡大縦断面図である。
【図１２】吸入動作を始めたときの薬粉収容部内における空気流と薬粉の流れを示すブリスタパックの要部拡大縦断面図である。
【図１３】吸入動作の途中の薬粉収容部内における空気流と薬粉の流れを示すブリスタパックの要部拡大縦断面図である。
【符号の説明】
【００４７】 ２１  ブリスタパック ２２  底板 ２３  膨出部 ２４ 傾斜面 ２５  蓋板 ２６  薬粉収容部  Ｈ1   流入穴  Ｈ2   流出穴
【図１】
0004180610.tif 000002
【図２】
0004180610.tif 000003
【図３】
0004180610.tif 000004
【図４】
0004180610.tif 000005
【図５】
0004180610.tif 000006
【図６】
0004180610.tif 000007
【図７】
0004180610.tif 000008
【図８】
0004180610.tif 000009
【図９】
0004180610.tif 000010
【図１０】
0004180610.tif 000011
【図１１】
0004180610.tif 000012
【図１２】
0004180610.tif 000013
【図１３】
0004180610.tif 000014